(57)【要約】【課題】  美麗なカルテを即座に作成することができ、かつ所望する顧客データを巡回先でも即座に入手可能な視力測定車を提供する。【解決手段】  自走可能な車両の運転席後方に形成した平面視略矩形形状の車室の前側壁に視力表を取付け、前記車室の左右いずれか一側半部に、前方から検査者用椅子、検査テーブル及び被検査者用椅子を順次配設する一方、他側半部に測定機器を配設した視力測定車において、前記被検査者用椅子の側方部に、検眼結果を反映したカルテや顧客データを出力可能としたコンピュータを配置した。【選択図】    図１
0003111646.tif 000002
【実用新案登録請求の範囲】
【請求項１】
自走可能な車両の運転席後方に形成した平面視略矩形形状の車室の前側壁に視力表を取付け、前記車室の左右いずれか一側半部に、前方から検査者用椅子、検査テーブル及び被検査者用椅子を順次配設する一方、他側半部に測定機器を配設した視力測定車において、
前記被検査者用椅子の側方部に、検眼結果を反映したカルテや顧客データを出力可能としたコンピュータを配置したことを特徴とする視力測定車。
【請求項２】
前記被検査者用椅子及びコンピュータの下部に電源室を形成し、車室後部に取付けた開閉扉を開けた状態で、前記コンピュータ及び電源室内のメンテナンスを車両後方から行えるようにしたことを特徴とする請求項１記載の視力測定車。
【考案の詳細な説明】
【技術分野】
【０００１】
本考案は、視力測定の出張サービス等を目的として、必要な設備及び機材を装備した視力測定車に関する。
【背景技術】
【０００２】
従来、視力測定車の一形態として、車室の後方に被検眼者の位置決めを兼ねた座席を前向きに装備し、この座席の横もしくは上部に視力測定資料の映写機を装備し、運転室に投影スクリーンを装備すると共に、自動車の走行時に前記の投影スクリーンが運転室に乗車する人の邪魔にならないように運転席の後方に収納できるように同投影スクリーンを前後方向に位置移動するように構成したものがある(例えば、特許文献１を参照)。
【０００３】
また、上記視力測定車が比較的大型で燃費の嵩むワゴンタイプの車両を用いていたことから、維持費が安く、初心者でも容易に運転が可能な視力測定車も提案されている（例えば、特許文献２を参照）。
【特許文献１】実開平０２−１２３２０３号公報
【特許文献２】特開平０７−２２７３７９号公報
【考案の開示】
【考案が解決しようとする課題】
【０００４】
ところが、上記した視力測定車は、いずれも各地に出向いて出張サービスなどを行いながら視力を測定し、その視力に適した眼鏡を販売することが目的であるが、過去の膨大な顧客データやカルテなどは持ち運んでいない。
【０００５】
したがって、例えば巡回先の被検眼者が顧客であった場合、顧客の過去の検眼データや顧客に販売したレンズやフレームの製品データなどが必要となっても、本店に問い合わせたりするなど、きわめて面倒であった。
【０００６】
また、新規の被検眼者のカルテを作成する場合、これまでは手書きとなっており、それを持ち帰ってデータベース化する必要があった。
【０００７】
本考案は、上記課題を解決することのできる視力測定車を提供することを目的とする。
【課題を解決するための手段】
【０００８】
請求項１記載の本考案では、自走可能な車両の運転席後方に形成した平面視略矩形形状の車室の前側壁に視力表を取付け、前記車室の左右いずれか一側半部に、前方から検査者用椅子、検査テーブル及び被検査者用椅子を順次配設する一方、他側半部に測定機器を配設した視力測定車において、前記被検査者用椅子の側方部に、検眼結果を反映したカルテや顧客データを出力可能としたコンピュータを配置した視力測定車とした。
【０００９】
請求項２記載の本考案では、請求項１記載の視力測定車において、前記被検査者用椅子及びコンピュータの下部に電源室を形成し、車室後部に取付けた開閉扉を開けた状態で、前記コンピュータ及び電源室内のメンテナンスを車両後方から行えるようにしたことを特徴とする。
【考案の効果】
【００１０】
本考案によれば、被検眼者の検眼結果を反映したカルテや顧客データを出力可能としたコンピュータを備えているので、検眼後に即座にカルテなどを作成でき、また、被検眼者が顧客であった場合、眼鏡を作る際などに過去のデータを読み出して参考にすることができる。
【考案を実施するための最良の形態】
【００１１】
本考案に係る視力測定車は、自走可能な車両の運転席後方に形成した平面視略矩形形状の車室の前側壁に視力表を取付け、前記車室の左右いずれか一側半部に、前方から検査者用椅子、検査テーブル及び被検査者用椅子を順次配設する一方、他側半部に測定機器を配設した視力測定車において、前記被検査者用椅子の側方部に、検眼結果を反映したカルテや顧客データを出力可能としたコンピュータを配置したものである。
【００１２】
すなわち、客がわざわざ眼鏡店に足を運ぶことなく、巡回してきた視力測定車内で視力測定などを含む検眼を行い、その場においてフレームを含め眼鏡一式を購入することができるようにしたもので、特に、本実施形態によれば、検眼結果を反映したカルテを本視力測定車内で即座に作成でき、またこのカルテ内容をコンピュータ内に保存して次回以降に備えることもできる。
【００１３】
さらに、被検眼者が顧客であった場合、眼鏡を作る際などに過去のデータを読み出して参考にすることができる。この場合、コンピュータ内にデータがなくとも、例えばインターネットなどを介して、眼鏡店のホストコンピュータに格納されている顧客データを読み出すことが可能であり、必要なデータを巡回先からでも簡単に得ることができる。
【００１４】
また、上記視力測定車において、前記被検査者用椅子及びコンピュータの下部に電源室を形成し、車室後部に取付けた開閉扉を開けた状態で、前記コンピュータ及び電源室内のメンテナンスを車両後方から行えるようにすることができる。
【００１５】
すなわち、本視力測定車は、前記コンピュータをはじめ各種測定機器類を車室という狭い空間に搭載し、各地を巡回しながら視力検査などを行うことから、専用のバッテリーを搭載するとともに、このバッテリーを利用して前記コンピュータをはじめ各種測定機器類を駆動するための配電盤やインバータ、コードリールなどを備えておく必要があるが、上気構成としたことにより、車室を有効利用しながら、メンテナンス性も向上させることができる。
【００１６】
以下、本考案の実施形態について、図面を参照しながらより具体的に説明する。図１は本実施形態に係る視力測定車Ａの平面視による説明図、図２は同側面視における説明図、図３は視力測定車Ａの後部扉を開放した状態の背面図である。
【００１７】
本実施形態における視力測定車Ａに用いる車両はワゴン車、所謂ワンボックスタイプの車両を用いており、この視力測定車Ａの前部には運転席と助手席とを備えた運転部Ｄが設けられており、同運転部Ｄの後方には隔壁２を介して車室Ｃが形成されている。なお、ワゴン車としては普通自動車の範疇のものでも、一部地域を除いて車庫証明が不要であり、車両登録が容易でかつ経費が安い軽自動車の範疇のものであってもよい。
【００１８】
前記車室Ｃ全体は検眼室として使用できるように構成されており、車両の進行方向に対して前記隔壁２の中央やや右側に視力表１を取外し自在に吊下している。
【００１９】
そして、前記隔壁２に沿って、車両進行方向左側から洗浄機３、検査助手用椅子４及び検査測定機器収納庫５を設置するとともに、前記検査助手用椅子４の下部にはバッテリー６を配設し、前記検査測定機器収納庫５の上にはコンピュータ累進レンズ測定検査機７を配置し、さらに、検査測定機器収納庫５の後方には検査者椅子８を配置している。
【００２０】
そして、この検査者椅子８の後方には、コンピュータ測定検査機１０を載置した検査テーブル９を配置し、さらにその後方に被検査者用椅子１１を配設している。なお、前記検査テーブル９には引出式のテストレンズ収納庫（図示せず）を設けている。
【００２１】
このように、車室Ｃの車両進行方向右側には、前方から検査測定機器収納庫５、検査者椅子８、検査テーブル９及び被検査者用椅子１１を順に配設している。
【００２２】
他方、車室Ｃの車両進行方向左側には、前記検査テーブル９の側方に位置するように機器収納庫１２を配設し、その天板上に前部からレンズメータ１３、視機能検査器１４、視力検査測定表スイッチ１５を配置している。この視力検査測定表スイッチ１５は、前記視力表１の設けた蛍光灯等の表示用発光手段のオン・オフを遠隔操作するものである。
【００２３】
前記車室Ｃの後部において、本実施形態では、前記被検査者用椅子１１の側部と機器収納庫１２の後部に位置するスペースにコンピュータ収容部Ｅを形成して端末コンピュータ１６を配置している。端末コンピュータ１６は、横置型のコンピュータ本体１６ａ上にディスプレイ１６ｂを載置して配置し、可及的に省スペースとなるようにしている。
【００２４】
また、前記被検査者用椅子１１及び端末コンピュータ１６の下部には、電源室Ｆを形成しており、図３に示すように、電源室Ｆの右側からインバータ１７、配電盤１８、暖房装置１９、コードリール２０を収容配設している。かかる電源室Ｆは、車室Ｃの後部に取付けた開閉扉Ｃ１を開けた状態で後方に開放されることから、前記端末コンピュータ１６を含め、当該電源室Ｆ内のメンテナンスを車両後方から容易に行うことができる。
【００２５】
また、上記端末コンピュータ１６は、本視力測定車Ａに搭載したコンピュータ累進レンズ測定検査機７やコンピュータ測定検査機１０と接続している他、インターネットなどの通信ネットワークを介して、本視力測定車Ａを所有する本店のホストコンピュータ（図示せず）と接続可能としている。
【００２６】
したがって、視力測定車Ａ内で検眼した結果を直接反映したカルテを即座に見栄え良く作成することができ、サービス向上とともに、営業効率の向上を図ることができる。
【００２７】
また、例えば被検眼者が顧客の場合、ホストコンピュータに接続して同ホストコンピュータに蓄積した顧客データから所要のデータを端末コンピュータ１６から読み出して、過去の視力や以前に使用していたレンズやフレームの種類などを予め把握しておくことで円滑に営業することができる。
【００２８】
このように、本実施形態に係る視力測定車Ａは、客がわざわざ眼鏡店に足を運ぶことなく巡回して視力測定などを含む検眼を行い、端末コンピュータ１６を用いることで即座にフレームなどを含めた眼鏡一式の販売が可能となる。特に、本実施形態によれば、検眼結果を反映したカルテを本視力測定車内で即座に作成でき、さらにそのカルテ内容をホストコンピュータに記憶させることもできるので、その後の営業に役立てることができる。
【図面の簡単な説明】
【００２９】
【図１】実施形態に係る視力測定車の平面視による説明図である。
【図２】同視力測定車の側面視における説明図である。
【図３】同視力測定車の後部扉を開放した状態の背面図である。
【符号の説明】
【００３０】
Ａ  視力測定車
Ｃ  車室
１  視力表
２  隔壁
３  洗浄機
４  検査助手用椅子
５  検査測定機器収納庫
６  バッテリー
７  コンピュータ累進レンズ測定検査機
８  検査者椅子
９  検査テーブル
１０  コンピュータ測定検査機
１１  被検査者用椅子
１２  機器収納庫
１３  レンズメータ１３
１４  視機能検査器
１５  視力検査測定表スイッチ
１６  端末コンピュータ
【図１】
0003111646.tif 000003
【図２】
0003111646.tif 000004
【図３】
0003111646.tif 000005